Podtech/llm-jp-corpus-v4-ja_patent huggingface dataset:
(57)【要約】【課題】露出断熱防水の熱帯びを小さくするために、機械的に発生させた空気の循環を使用した防水層裏面からの放熱を促進する方法を提供する。【解決手段】吸気筒（４）、常時稼働する機械式排気筒（５）を防水層（１）、絶縁層（３）に貫通して設置する。機械式排気筒（５）の動力により吸気筒（４）から吸入された空気が絶縁層（３）内を移動して機械式排気筒（５）から排出される。絶縁層（３）内を空気が移動する際に、防水層（１）の裏面から空気が吸熱して外部に常に放熱することにより防水層（１）からの放熱を促進させ熱帯びを小さくすることが可能となる。【選択図】図１
2010180681.tif 000002
【特許請求の範囲】
【請求項１】
機械的に発生させる空気循環を使用して防水層裏面からの放熱を促進させる方法。
【発明の詳細な説明】
【技術分野】
【０００１】本発明は、露出断熱防水工法で、防水層を早期劣化させる要因の一つである防水層の熱帯びを小さくするために、機械的に発生させる空気循環を利用して放熱を促進させる方法に関するものである。
【背景技術】
【０００２】従来は、防水層表面から大気中への自然放熱、または、防水層表面に遮熱塗料、反射塗料などを塗布して熱帯びを軽減させるもので防水層裏面からの放熱を促進させる方法はなかった。
【非特許文献】
【０００３】
【非特許文献１】「建築工事標準仕様書・同解説  ＪＡＳＳ８  防水工事」日本建築学会
【発明の概要】
【発明が解決しようとする課題】
【０００４】露出断熱防水では、防水層（１）の下部に断熱材（２）が敷設されるため片面放熱に近い状態となり防水層（１）が熱帯びしやすくなる。そのため夏季には高温状態に冬季には日中温められ夜間に放射冷却などで急激に低温状態になるなど温度変化が大きくなり防水層（１）に負担がかかり早期劣化するという難点があった。この発明は、この課題を解消するためになされたものである。
【課題を解決するための手段】
【０００５】吸気筒（４）、常時稼働する機械式排気筒（５）を防水層（１）、絶縁層（３）に貫通して設置する。機械式排気筒（５）の動力により吸気筒（４）から吸入された空気が絶縁層（３）内を移動して機械式排気筒（５）から排出される。絶縁層（３）内を空気が移動する際に、防水層（１）の裏面から空気が吸熱して外部に常に放熱することにより防水層（１）の放熱を促進し熱帯びを小さくすることができる。
【発明の効果】
【０００６】断熱上での防水層の熱帯びを小さくできることにより、熱による防水層の劣化を遅行させることができる。また、従来技術と本発明の複合により防水層の長寿化、性能的に露出断熱防水工法に不向きとされる防水材での仕様も可能となる。
【図面の簡単な説明】
【０００７】
【図１】露出断熱防水断面図
【発明を実施するための形態】
【０００８】防水層（１）の外周部に吸気筒（４）を防水層（１）、絶縁層（３）に貫通させて設置する。吸気筒（４）に囲まれた形で常時稼働する機械式排気筒（５）を防水層（１）、絶縁層（３）に貫通させて設置する。機械式排気筒（５）の動力により吸気筒（４）から吸入された空気が絶縁層（３）内を移動して機械式排気筒（５）から排出される。絶縁層（３）内を空気が移動する際に、防水層（１）の裏面から空気が吸熱して外部に常に放熱することにより防水層（１）の放熱を促進することが可能となる。
【実施例】
【０００９】吸排気装置は装置の動力性能、防水面積や形状により取付け位置や数量を考慮する。場合により吸排気装置とも機械式にしたり、負圧、正圧を変えたり、吸気口の口径を取付け位置により変えたりするなどして効率よく空気が循環するようにする。
【符号の説明】
【００１０】１  防水層
２  断熱材
３  絶縁層
４  吸気筒
５  機械式排気筒
６  コンクリート
【図１】
2010180681.tif 000003
(57)【要約】【課題】人工池や産業廃棄物最終処分場での従来の遮水工事は、シートを多層に張り合わせるため、工期が長期間かかる。衝突混合用養生テープは市販されていない。施工後の養生テープ剥離に手間取る。【解決手段】屋内（又は工場）で、例えば不織布に衝突混合で事前塗装しておけば、工期短縮とトータルコストの低減が可能である。被塗物と空間を設けた養生テープを使用する。【選択図】図１
2010180682.tif 000002
【特許請求の範囲】
【請求項１】
衝突混合を使用した遮水工事の新工法。
【請求項２】
産業廃棄物最終処分場で衝突混合を使用した遮水工事の新工法。
【請求項３】
衝突混合用養生テープ。
【発明の詳細な説明】
【技術分野】
【０００１】一般的にいわれる衝突混合は、高圧力で塗材（ウレタン、ポリウレア等）を霧化し、被塗物に吹き付ける超速乾性塗材および工法である。塗材は通常２液である。衝突混合の長所は、超速乾性、厚塗りができることである。超速乾性であるため短工期であり人件費の低減が可能である。塗材は１００％リキッドが大半で、有害な有機溶剤は含有せず、ＶＯＣ規制（揮発性有機化合物規制）の観点からも優れており、耐久性も非常に優れた工法・塗材である。衝突混合の短所は、霧化し吹き付け塗装するので塗装時にミストが発生すること、ミスト発生により塗材ロスが生じること、薄膜が困難なことである。人工池や産業廃棄物最終処分場での遮水は、ゴムシートや塩ビシート等を何層も重ね合わせ遮水処理を施している。遮水したシートから流れ出る水は、水処理して安全な水として放水されている。衝突混合用の養生テープは市販されていない。衝突混合の特長は超速乾性であり、従来の養生テープを使用すると、養生テープと被塗物が短時間で密着してしまい、養生テープの除去が大変である。
【背景技術】
【０００２】欧米では数多く、衝突混合を使用して人工池や排水処理場の遮水を施している事例が多い。例として、不織布に衝突混合の塗材を吹き付けて、強靭なシートを作製し遮水シートとしている。日本の産業廃棄物最終処分場では、ゴムシート、塩ビシート、不織布等を何層も張り合わせ、遮水している事例が多い。通常、市販されている養生テープは、ガムテープなどにフィルムを張り合わせ、塗材の被塗物以外への付着や飛散を防止している。一般的な塗材は、硬化するのに何時間も必要であり、施工後に養生テープを剥がすのは容易であるが、衝突混合は超速乾性であり、瞬時に被塗物と養生テープが密着するため、養生テープを剥がす場合、困難を極める。
【発明の開示】
【発明が解決しようとする課題】
【０００３】人工池や産業廃棄物最終処分場では、ゴムシート、塩ビシート、不織布等を何層（多い場合は８層以上）も張り合わせて遮水しており、原材料である遮水シートなどを多く使用すること、何層も張り合わせるために工期が長くかかり、工期が長いため人件費が多くかかる。産業廃棄物最終処分場では、ゴムシート、塩ビシート等を何層も張り合わせなければ、産業廃棄物の加重で遮水シートが破れ、汚水が漏水する危険がある。衝突混合用の養生テープは市販されていない。衝突混合は瞬時に硬化し、強靭な塗膜ができるので、被塗物からの養生テープを剥がすには困難を極める。
【課題を解決するための手段】
【０００４】本発明は、衝突混合で遮水シートを作製する場合、事前に、被塗物（例：織布、不織布等）に衝突混合で塗材を塗装しておくことで遮水工事の工期を短縮させる工法である。衝突混合は、雨、雪、高湿度の環境下では塗装できない。できれば屋内（湿度８０％以下）で被塗物（例：織布、不織布等）に塗材を事前塗装しておき、工事のタイミングに応じて既塗装の遮水シートを短工期で敷設する。但し、被塗物（例：織布、不織布等）に重ね合わせるための糊代を残しておくこと、衝突混合で塗装した塗膜が完全硬化（通常、約２４時間後）した場合は、衝突混合の塗材を再塗装できないので、塗装面にシーラーを事前に塗装することが必要である。廃棄物の加重が大きい場合は、衝突混合の塗材の膜厚を厚くするか、２層の衝突混合のシートを作製する。万が一の漏水のために、漏水検知装置を敷設する。衝突混合は通常、架橋系であり強靭な塗膜が作製でき、耐久性にも優れたシームレス状の遮水シートができる。
織布や不織布等は通常、数百メーターあるので、機械化して効率のよい塗装を施すことにより、塗装時間の短縮が可能である。本発明は、被塗物と養生テープとの間に空間を設けた養生テープである。当然、衝突混合の塗材は空気には密着しない。［図１］の通り、被塗物に接着した上部に、必要な距離張り出したフィルムを装着した養生テープである。被塗物が平面の場合は真上から塗材を吹き付け、被塗物が垂直の場合は真横から塗材を吹き付ける。吹き付け角度は、被塗物と直角にすることが望ましい。張り出したテープは、塗材を吹き付ける圧力に耐えられる強度が必要である。塗材を吹き付けた場合、ミストが被塗物と養生テープの空間に入ることもあり、被塗物と張り出したフィルムの距離は高いほうがよい。
【発明の効果】
【０００５】人工池や産業廃棄物最終処分場は面積が広大であり工期が長期に亘る。本発明の効果は次の通りである。▲１▼屋内での事前塗装であり、より均一な膜厚管理が可能である。▲２▼屋内で事前塗装すれば、天候に影響されない。（衝突混合は、雨、雪、高湿度では施工できない。）▲３▼従来の工法は多層のシートが必要であり、材料費、人件費等が多くかかるが、同工法は通常、不織布と衝突混合の塗材の費用だけである。▲４▼遮水工事は屋外で施工されるので天候に影響をうける。本発明は短工期が可能である。天候のよいときに一挙に施工でき、工期のスケジュール管理が容易である。▲５▼シームレス工法であり、強靭（引っ張り強度、耐薬品性、耐磨耗性等）な遮水シートの作製が可能である。▲６▼接合部がなく、接着剤が不要である。接着剤施工も不要である。▲７▼トータルコストの低減に貢献できる。本発明の養生テープは施工後、養生テープを簡単に剥がせることである。
【実施例】図１を用いて説明する。
【図面の簡単な説明】
【図１】養生テープ
【符号の説明】▲１▼養生テープ
▲２▼被塗物
▲３▼張り出したフィルム
▲４▼塗材の吹き付け
【図１】
2010180682.tif 000003
(57)【要約】【課題】弱酸性領域においても型崩れが生じにくく安定な含水ゲル基剤を提供しようとする。【解決手段】グルコマンナンとカラギーナンとを有効成分として含有することを特徴とする。【選択図】なし【特許請求の範囲】
【請求項１】
グルコマンナンと、ローカストビーンガム及び／又はカラギーナンとを有効成分として含有することを特徴とする皮膚貼付用含水ゲル基剤。
【請求項２】
ローカストビーンガムを０．１〜５．０重量％含有する請求項１記載の含水ゲル基剤。
【請求項３】
カラギーナンを０．１〜５．０重量％含有する請求項１記載の含水ゲル基剤。
【請求項４】
グルコマンナンを０．１〜５．０重量％含有する請求項１〜３のいずれかに記載の含水ゲル基剤。
【発明の詳細な説明】
【技術分野】
【０００１】
この発明は、含水性ゲル基剤に関するものである。
【背景技術】
【０００２】
従来より寒天ゲル、カラギーナン、アルギン酸ナトリウム、ゼラチンなどの天然物ゲルが知られているが、その高い含水性に着目し、対象物の保湿・保冷（例えば湿布の用途など）に用いようと試みた。しかし、これらの天然物ゲルは非常に脆いものであり、保型性に乏しいという問題があった。
【発明の開示】
【発明が解決しようとする課題】
【０００３】
一方、同様に天然物ゲルであるグルコマンナンは、強アルカリ性領域に維持した場合は、型崩れが生じにくく安定で保型性を有する。しかし、人の肌は弱酸性領域にある方が好ましいので、湿布としての用途などには不具合であるという問題があった。
【０００４】
そこで、この発明は、弱酸性領域においても型崩れが生じにくく安定な含水性ゲル基剤を提供しようとするものである。
【課題を解決するための手段】
【０００５】
前記課題を解決すべく鋭意検討した結果、グルコマンナンに、ローカストビーンガムやカラギーナンなどの高分子を添加して含水性ゲル基剤を構成することにより、弱酸性領域においても型崩れが生じにくく安定となることを見出しこの発明を完成するに到った。
【０００６】
含水性ゲル基剤はグルコマンナンとローカストビーンガムとを有効成分として含有するが、ローカストビーンガムは離水防止剤として機能するとともに、弱酸性領域においてもグルコマンナンの型崩れが生じにくく安定に維持させることができる。なお、ローカストビーンガムの含有量が、約０．１重量％未満とすると保型性を維持でき難いという不具合が生ずる場合があり、約５．０重量％を越えると硬すぎてゲル状になり難いという不具合が生ずる場合がある。
【０００７】
本発明の含水性ゲル基剤はグルコマンナンとカラギーナンとを有効成分として含有するが、カラギーナンは紅藻類から抽出して精製した炭水化物であり、弱酸性領域においてもグルコマンナンの型崩れが生じにくく安定に維持させることができる。なお、カラギーナンの含有量が、約０．１重量％未満とすると保型性を維持でき難いという不具合が生ずる場合があり、約５．０重量％を越えると硬すぎてゲル状になり難いという不具合が生ずる場合がある。
【０００８】
また、グルコマンナンの含有量が、約０．１重量％未満とすると保型性不足という不具合が生ずる場合があり、約５．０重量％を越えると透明性や弾力性に乏しいという不具合が生ずる場合がある。
【発明の効果】
【０００９】
この発明は上述のような構成であり、次の効果を有する。
【００１０】
弱酸性領域においても型崩れが生じにくく安定な含水性ゲル基剤を提供することができる。
【実施例】
【００１１】
以下、この発明の構成を実施例により説明する。
【００１２】
この実施例の含水性ゲル基剤は、グルコマンナン並びにローカストビーンガム又は／及びカラギーナンを有効成分として含有する。前記グルコマンナンはグルコースとマンノースとが約７：３から成る中性複合多糖であり、こんにゃくの元の物質である。
【００１３】
各実施例に於ける配合量の割合を、表１及び表２に示す。表中示されるように、グルコマンナンは約０．１〜５．０重量％、カラギーナンは約０．１〜５．０重量％、ローカストビーンガムは約０．１〜５．０重量％配合しており、この程度の配合量の範囲内が含水性ゲル基剤が安定化し易く好ましい。また、グルコマンナンを用いていない比較例の配合量の割合を、表５に示す。
【００１４】
なお、保水性物質として濃グリセリン、カルボキシメチルセルロース（ＣＭＣ）、ゼラチン、アルギン酸カルシウムなどを約５〜２０重量％配合することができる。これは離水防止のための保湿剤として機能し、ゲル強度を出すことができる。
【００１５】
また、防腐剤としてパラベンなどを少量例えば約０．１重量％以下程度配合することができる。粘着性付与剤としてＰＥＧ，ＰＶＡなどを例えば約５．０重量％以下程度配合することができる。香料としてｌ−メントールを例えば約５．０重量％以下程度配合することができる。その他、清涼剤としてカンフルを少量例えば約５．０重量％以下程度配合することができる。そして、残量の殆どは水である。
【００１６】
次に、この含水性ゲル基剤の製造方法を説明する。先ず濃グリセリンを約６０℃に加温しながら、グルコマンナンとローカストビーンガム及び／又はカラギーナンの全量を徐々に加えていく。次に、蒸留水をダマ（ゲル状の塊）ができない程度に、その全体の配合量の約５０％位まで徐々に加える。そして、配合する他の成分を順次加えていき、最後に蒸留水を所定の配合量に至るまで加える。なお、これらの手順中は常に攪拌する。ダマがないことを確認してから、これを速やかに型に流し込み徐冷して固化させた後、型から外すと完成した含水性ゲル基剤が得られる。
【００１７】
グルコマンナンは保型剤として機能し、この含水性ゲル基剤は保型性、柔軟性、弾力性、付着性、保水性、放湿性、透明性等に優れるという利点がある。また、弱酸性領域でもそのゲル強度が経時的に安定している。
【００１８】
この含水性ゲル基剤を皮膚に貼付した場合、そのｐＨは弱酸性領域にあるので皮膚に対する刺激が少なく好ましい。また、皮膚への付着性もよく快適な状態で長時間冷却することができた。
【００１９】
この実施例の含水性ゲル基剤を官能試験により評価した。評価は次の項目・方法によった。
【００２０】
保型性は含水性ゲル基剤の製造の際、脱型時にその形状が保持されているかどうかにより、柔軟性は含水性ゲル基剤が硬くなく皮膚にフィットし得るかどうかにより、弾力性は含水性ゲル基剤を押すと復元してくるかどうかにより、付着性は皮膚や物体に付着し易いかどうかにより、保水性は含水性ゲル基剤が２４時間保水されており離水しないかどうかにより、透明性は濁りがないかどうかにより判断評価した。各実施例の結果を表３及び表４に、各比較例の結果を表５に示す。
【００２１】
これらの各評価項目に対し、表中◎は「良好」、○は「良」、△は「悪い」、×は「非常に悪い」という評価結果を示している。
【００２２】
表に示される通り、各実施例のものは各比較例のものと比べて保型性に優れており、型崩れが生じにくく安定である。
【００２３】
【表１】
2010180256.tif 000002
【００２４】
【表２】
2010180256.tif 000003
【００２５】
【表３】
2010180256.tif 000004
【００２６】
【表４】
2010180256.tif 000005
【００２７】
【表５】
2010180256.tif 000006
(57)【要約】  【課題】  従来の建設機械には、燃料タンクの近くには手摺りが設けられていなかったので、燃料タンクは点検作業や給油作業の安全確保が不十分であるという課題があった。  【構成】  建設機械の上部旋回体のフロア上に燃料タンクやサンプタンクを収納するハウスを設けた建設機械において、前記燃料タンクやサンプタンク、並びにそれ等の付属品のメンテナンス時にアクセスが容易な箇所のハウスフレームの一部を手摺りとして兼用可能な構成とし、前記ハウスフレームの一部を手摺り用として、丸パイプ又は丸棒材で構成したことを特徴とする。【選択図】    図１
2010180538.tif 000002
【特許請求の範囲】
【請求項１】
建設機械の上部旋回体のフロア上に燃料タンクやサンプタンクを収納するハウスを設けた建設機械において、前記燃料タンクやサンプタンク、並びにそれ等の付属品のメンテナンス時にアクセスが容易な箇所のハウスフレームの一部を手摺りとして兼用可能な構成としたことを特徴とする建設機械のハウスフレーム。
【請求項２】
前記ハウスフレームの一部は、手摺り用として、丸パイプ又は丸棒材で構成したことを特徴とする請求項１に記載の建設機械のハウスフレーム。
【発明の詳細な説明】
【技術分野】
【０００１】
この発明は建設機械のハウスフレーム及び手摺り構造の技術分野に属する。更に詳細には、燃料タンクの点検等を容易にしたハウスフレーム兼用の手摺り構造の技術に関する。
【背景技術】
【０００２】
油圧ショベル等の建設機械では、下部走行体の上に上部旋回体を旋回自在に載置すると共に、上部旋回体の床上にエンジン、油圧ポンプ等の油圧機器や燃料タンクなどを収納するためにハウスを設け、ハウスの内側にこれらの機器や燃料タンクを保管することが行われている。このために、上部旋回体の床上又は基台の上にハウスフレームを立設して、このハウスフレームにハウスカバーを取り付けてハウスを構成する事が行われている。一方、エンジンや油圧ポンプ等の油圧機器や燃料タンク等は点検やメンテナンスをする必要がある。従って、メンテナンス作業に便利な適宜の位置にステップ（踏み台）を設けると共に、ステップの近くに手摺りを設けて上部旋回体の床上への昇降を容易にし、安全を図っていた。
【０００３】
ステップの近くに手摺りを設けた従来例としては、例えば、特許文献１に開示されているものがある。この文献に記載されている手摺りはステップの近くのハウス内部に把持する部分が突起した状態で取り付けられている。更にハウスの天井部にも第２の手摺りを設けている。又、特許文献２には、運転室の前方に作業用のステップを設けると共に該ステップの前側縁部に沿って把持する部分が突起した手摺りを設けている。
【特許文献１】公開特許公報、特開２００４−１９０２７６「建設機械における手摺り」
【特許文献２】公開特許公報、特開２００１−２４８１８５「建設機械の手摺り構造」
【発明の開示】
【発明が解決しようとする課題】
【０００４】
しかし、従来の建設機械には、燃料タンクの近くには手摺りが設けられていなかった。燃料タンクは点検作業や給油作業のために頻繁にアクセスする必要があるが、燃料タンクの周囲には油圧ポンプ等の油圧機器類が多数配置されており、突起部分を有する手摺りを設けると逆に手摺りの突起部分が作業の邪魔になる可能性がある。本発明は、上記問題を解決するためになされたものである。
【課題を解決するための手段】
【０００５】
本発明は上記の課題を解決するための手段として以下の構成を採用している。即ち、
請求項１に記載の発明は、建設機械の上部旋回体のフロア上に燃料タンクやサンプタンクを収納するハウスを設けた建設機械において、前記燃料タンクやサンプタンク、並びにそれ等の付属品のメンテナンス時にアクセスが容易な箇所のハウスフレームの一部を手摺りとして兼用可能な構成としたことを特徴としている。
【０００６】
また、請求項２に記載の発明は、請求項１に記載の発明において、前記ハウスフレームの一部は、手摺り用として、丸パイプ又は丸棒材で構成したことを特徴としている。
【発明の効果】
【０００７】
本発明はハウスフレームの一部を手摺りとして兼用可能に構成したことにより、燃料タンクやサンプタンク、並びにそれ等の付属品のメンテナンス作業や給油作業が安全、かつ容易に行えるという効果が得られる。
【発明を実施するための最良の形態】
【０００８】
以下本発明の実施形態を図に基づいて説明する。図１は、本発明を実施した建設機械のハウスフレーム構造で、ハウスカバーを取り外した例を示す。図２は、ハウスカバーを取り付けた例を示す。図１，図２において、上部旋回体１１の上側面にハウスフレーム１２が立設され、ハウスカバー１３はネジ類によりハウスフレーム１２に取り付けられている。ハウスカバー１３は、ハウス側面カバー１３ａ、ハウス前面カバー１３ｂ及びハウス前方上部カバー１３ｃ及びハウス後方上部カバー１３ｄから構成されている。ハウス側面カバー１３ａ、前面カバー１３ｂはネジ等により固定され、取り外し可能に構成されている。また、ハウス前方上部カバー１３ｃは開閉自在に構成されている。ハウス後方上部カバー１３ｄはネジ等により固定されている。また、燃料タンク１５やサンプタンク１７はハウスフレーム１２に固定され、ハウスカバー１３の内部に収納されている。また、燃料タンク１５やサンプタンク１７の付属品、例えば、フィルタ類（図示省略）もそれ等の近くに配置されている。ハウスフレーム１２の一部１６は丸パイプで構成され、手摺りとして利用できる程度の太さの直径のパイプで構成されている。燃料タンク１５のキャップ１５ｂは丸パイプ１６に近接した位置に設けられている。
【０００９】
本実施形態は燃料タンク１５のキャップ１５ｂが丸パイプ（手摺り）１６に近接した位置に設けられているので、燃料タンク１５等のメンテナンス作業や給油作業が丸パイプに捕まりながら安全、かつ容易に実行できるという効果が得られる。又、ハウス側面カバー１３ａ、前面カバー１３ｂを取り付けた状態で、燃料タンク１５等のメンテナンス作業や給油作業並びにそれ等の付属品であるフィルタ類のメンテナンス作業が容易に行え、また、見栄えの向上効果もある。
【００１０】
以上本発明の実施形態を図面に基づいて詳述してきたが、本発明の技術的範囲はこれに限られるものではない。
【図面の簡単な説明】
【００１１】
【図１】本発明を実施したハウスフレームを示す。
【図２】本発明の実施例でハウスカバーを取り付けた状態を示す。
【符号の説明】
【００１２】
１１                  上部旋回体
１２                  ハウスフレーム
１３                  ハウスカバー
１３ａ                ハウス側面カバー
１３ｂ                ハウス前面カバー
１３ｃ                ハウス前方上部カバー
１３ｄ                ハウス後方上部カバー
１５                  燃料タンク
１５ｂ                燃料タンクキャップ
１６                  手摺り兼用ハウスフレーム
【図１】
2010180538.tif 000003
【図２】
2010180538.tif 000004
(57)【要約】【課題】アウトドアスポーツに用いる透湿性を持たない軽量雨具やウインドブレーカーは天候、運動量による蒸れが著しい。【解決手段】ウインドブレーカーの背面に上下縦に向けてファスナーを取り付ける。前ファスナーに吸気口、背面ファスナーに排気口の役割を持たせ夫々のファスナーの開閉量に依って体を通過する風量を制御する。【選択図】図１
2010180520.tif 000002
【特許請求の範囲】
【請求項１】
携帯用雨具、ウインドブレーカー等の上着の背面に天地縦方向に向けたファスナーを取り付け前ファスナーとの開口口の大きさに依って体を通過する空気の量を制御し上着内の温度を調節可能にしたことを特徴とするウインドブレーカーの背面通気口。
【発明の詳細な説明】
【技術分野】
【０００１】本発明はアウトドアスポーツ時に風や少量の雨の影響から上体を守るウインドブレーカーや携帯用レインジャケットに発生する蒸れを解消する為の通気に関する。
【背景技術】
【０００２】凡そ山や海でのアウトドアスポーツには風から体温を守る為にウインドブレーカージャケットや簡素なレインウエアーを携行する。
雨具を兼ねた透湿性機能を持つ３層構造の生地素材から単にゴムやウレタン、アクリル樹脂をコーテイングしたライトな素材まで多種多様な商品が市場に出回っている。
【発明の開示】
【課題が解決しようとする課題】
【０００３】釣りやハイキングの様にウインドブレーカーをバックやザックに携行しても不使用時に収納すべき場所が有るアウトドアスポーツは厚手の透湿性機能を持った３層構造のウインドブレーカーでも問題ない。
しかしマラソンや自転車ツーリングの様に不使用時に収納する場所の無いスポーツには携行する為に薄手の生地で極力コンパクトに収める必要がある。
この為ウインドブレーカーの素材は３０デニールクラスの極薄な生地となり通常は通気性能を有しない。
その結果ウインドブレーカー内は運動に依る体温の上昇に伴った蒸れが発生しアスリートに大きな不快感を与える。
従来の背中に開口部を持つレインウエアーはフラップを付けることで雨の浸入は防げるが通気性は減少する。また加工が増しこの結果価格が増えるばかりで無く肝心なコンパクト性が失われてしまう。
何かを背負う目的で背面にファスナーを持つ形状も有るが本発明のように線状開口を持って微妙な通風量の制御はできない。
【問題を解決するための手段】
【０００４】本発明はウインドブレーカージャケットの脱着用前ファスナーに呼応して背面の天地縦方向にファスナーを取り付けたことに依り前ファスナーの開放距離の長短に依って吸気される吸気量と背面のファスナーから排気される排気量をファスナーの開放距離に依り連携させ体の周囲を通過する空気量を状況に合わせて適宜無段階に調節することができる。
【発明の効果】
【０００５】例えばウインドブレーカージャケットを畳んだ時のコンパクト度が要求される自転車の山岳ツーリングを例にとってみると、早朝のスタート時の気温は極めて低いが走行開始後走行運動と日照に依り急激に体感温度が上昇する。  更に登りの勾配が増すと温度は上昇する。
この逆に高地で天候が曇った下り坂走行での体感温度は急激に低下する。    ツーリング中の体感温度はこの二極間の温度差の間を環境、走行状態、気温に依って上下頻繁に繰り返される。
背面排気口を有する本発明のジャケットを上記例に沿って説明するとスタート時前後共にファスナーを閉めた状態で装着し、やや温度が上がるに伴って段階的に以下、前ファスナーだけ空けて体に空気をはらむ、背面ファスナーのみ開けて前からの冷気を遮断し少量の排気を促す、前ファスナー背ファスナー共少し開けて空気の流通量を制限しジャケット内の空気温度を適正に維持する、前後のファスナー共全開にして通気効果を上げる、等の操作を前後のファスナーを開閉操作することで簡単に素早く適正な快適性を得ることができる。
またゴルフの霧雨条件でのプレーでは背面ファスナアーを開けたままでも縦に装着してあるので小雨は入りにくく、ウエイテイング中体温の放出も抑えられ、スイング時も背面ファスナー口が大きく開き動作を妨げることがない。
【発明を実施するための最良の形態】
【０００６】ウインドブレーカーや簡易雨具の背中部分に縦向すなわち天地方向にわたって止水ファスナーを取り付けこのファスナーの開閉操作がし易いようにスライダーに引っ張り用のコードタブを取り付ける。
前ファスナーと背面ファスナーの開口状態の連携により外気の頻繁な変化にも敏速かつ簡単に対応できる。
【実施例】
【０００７】本発明を例えるなら空冷式エンジンに送風する風量を制御できるジャケットと解釈できる。
【図面の簡単な説明】
【０００８】
【図１】本発明のジャケットの背面図である。
【図２】本発明の使用時風向図である。
【符号の説明】
【０００９】１．  背面ファスナー
２．  本発明装着ジャケット
３．  ファスナースライダー
４．  スライダータブコード
５．  フロントファスナー
６．  吸気の流れ
７．  排気の流れ
【図１】
2010180520.tif 000003
【図２】
2010180520.tif 000004
(57)【要約】【課題】  ワイシャツの襟の裏側に汚れがつかないように紙布を貼り付ける襟よごれーずを提供する。【解決手段】  ワイシャツの襟の裏側［首のあたる部分］（１）に紙布（２）を貼り付けた襟よごれーずを特徴とする。【選択図】図１
2010180519.tif 000002
【特許請求の範囲】
【請求項１】
ワイシャツの襟の裏側［首があたる部分］（１）に紙布（２）を貼り付けた  襟よごれーず。
【発明の詳細な説明】
【技術分野】
【０００１】この発明は、ワイシャツの襟の裏側に紙布を貼り付けた襟よごれーずに関するものである。
【背景技術】
【０００２】従来、襟の裏側は皮脂の汚れが付いて取れなかった。
【発明の開示】
【発明が解決しようとする課題】
【０００３】これは、次のような欠点があった。
従来、皮脂汚れは落ちにくい為、漂白剤をつけたり、こすったりして大変であるし、生地もすぐ傷んでしまう。本発明は、以上のような欠点をなくすためになされたものである。
【課題を解決するための手段】
【０００４】ワイシャツの襟の裏側〔首があたる部分〕（１）に紙布（２）を貼り付ける。
本発明は、以上の構成よりなる襟よごれーずである。
【発明の効果】
【０００５】襟の裏側に紙布を貼り付けるので、汚れが生地につかない。
【発明を実施するための最良の形態】
【０００６】以下、本発明を実施するための最良の形態について説明する。
ワイシャツの襟の裏側（１）に、紙布（２）を貼り付ける。（２）はテープでつけるので、簡単に取り外しが出来る。
【図面の簡単な説明】
【０００７】
【図１】  本発明の平面図である。
【符号の説明】
【０００８】１  ワイシャツの襟の裏側
２  紙布
【図１】
2010180519.tif 000003
(57)【要約】【課題】つまることがなく、メンテナンスフリーで、きれいな雨水を供給できるろ過樋とろ過屋根が必要だ。【解決手段】軒先に取り付け、水返しと指向性フィルターと水受室によって密閉した空間を構成するろ過樋。さらにこれをさまざまな屋根形状に対応できるように調整可能にする。また、ろ過樋を組み込んだろ過屋根も可能にした。【選択図】図１
2010180547.tif 000002
【特許請求の範囲】
【請求項１】
軒先に取り付け、水返しと、指向性フィルターと水受室からなる、樋
【請求項２】
請求項１の構成において、さまざまな屋根形状に対応できるように調整可能にした、樋  
【請求項３】
請求項１および２の構成によるろ過樋を組み込み一体化させた、屋根
【発明の詳細な説明】
【技術分野】
【０００１】
本発明は樋と屋根に関するものである。
【背景技術】
【０００２】
従来の横樋は水を流す水受けのみで構成されるものが主流である。
水受けの上部に蓋状にフィルターをのせ、ごみが詰まることを防ごうと試みる樋もあった。しかし、そのフィルターの上にごみがつまり、水の流れが悪くなる問題を抱えていた。
【発明の概要】
【発明が解決しようとする課題】
【０００３】
従来の横樋は、水受けが空中に露出しており、落ち葉やごみが飛来し、また、屋根面より流入し、樋のつまりの現象を起こしていた。
【０００４】
従来、横樋の上、あるいは、たて樋との流入部の上部に金網等のフィルターを設置したが、フィルターの上部、側部にごみが詰まり、結果的に、樋のつまり現象を起こしていた。
【課題を解決するための手段】
【０００５】
軒先の水返し部によって、まずは大きなごみを空中へはじき、次に小さなごみと水を指向性フィルターに当てることにより、指向性フィルターの面で、小さなごみを空中へ落下させ、水のみを水受室に流入させる。これにより水受室にはごみが入らなくなる。そして、横向きろ過面には通常ごみが付着することはないが、いったん付着した場合にも乾燥し、風が吹いた折に落下し、常にごみのついていない状態を保ち、ごみつまりを防止する。
【０００６】
水受室は指向性フィルターで密閉されており直接外気に面していないため飛来した土ぼこりやごみが入り込むことがなく、詰まることはない。
【発明の効果】
【０００７】
雨樋のつまりは、屋根の劣化をもたらし、建物全体の寿命を縮める要素であった。この樋の登場によりそのつまりがなくなるので、建物の寿命をのばし、大きな経済効果をもたらす。
【０００８】
雨樋が詰まるとその対策として、屋根の上に登る等のメンテナンスが必要であり、高齢化も加わり、この危険なメンテナンスが実施するのが困難になってきている。この樋の登場により、メンテナンスフリーとなり、安全性が確保される。
【０００９】
この樋は、既存建物にも取り付けが可能であるので、広く普及することができる。
【００１０】
雨樋のつまりの原因として落ち葉がある。この樋の登場により、落ち葉があっても問題がなくなるので、樋のつまりを気にせず高木を育てることができ、緑化の推進を阻む要素がひとつ軽減され、緑化が図りやすくなる。
【００１１】
通常雨水利用を図るためには、ろ過機構を別に設置し定期的な維持管理を行っている。しかし、この樋を使用すると自動的にろ過されたきれいな水が得られるので、その機構も、維持管理の手間も不要となる。したがって雨水利用の普及に貢献できる。
【図面の簡単な説明】
【００１２】
【図１】ろ過樋の全体構成図
【図２】ろ過樋を組み込み一体化させた、ろ過屋根の構成図
【実施例１】
【００１３】
全体の構成。
軒先に水返しを隣接させ、方向転換された水の流れ方向に指向性フィルターを設置し、指向性フィルターを通過した水の流れをうけとめる水受室を設置し、同時に水受室と、水流入面を除外した指向性フィルターを密閉した空間に収める構成の横樋。
【００１４】
水返し  １
折れ曲がり部が水返しを起こす性格を利用し、軒先から落ちる水の流れる方向を変えるもの。指向性フィルターの表面に凹凸を形成して折れ曲がり板と同様の水返しを形成する方法、屋根板金に用いられることの多い各種の薄板鋼板や、樹脂に凹凸を形成して、折れ曲がり板と同様の水返しを形成する方法がある。折れ曲がり角度や、水返し部の取り付け高さなどの調整によりさまざまな屋根形状に対応できるようにしている。
【００１５】
指向性フィルター  ２
水は通すがごみは通さない程度の開口率で、横方向にのみ水を吸込みやすい指向性をもつフィルター。発泡セラミック、発砲金属、発砲樹脂等でつくる。横方向からごみと水があたり、ごみが落下し、水は跳ね返らずしみこむように角度や取り付け部を調整する。風により運ばれてくる土ぼこりなどを水受室に入れない働きをする。
指向性フィルターの表面に凹凸を設け、折れ曲がり板と同様の水返し部を形成することもできる。この場合何回も水返しを繰り返す機構が可能となる。
【００１６】
水受室  ３
直接外気に面することなく、ごみなど飛来しない位置に設ける横樋。薄板金属や樹脂などで形成する。水受室は水返しと一体となり、指向性フィルターを取り付けたとき密閉した空間を形成する。
【符号の説明】
【００１７】
１  水返し
２  指向性フィルター
３  水受室
【図１】
2010180547.tif 000003
【図２】
2010180547.tif 000004
(57)【要約】【課題】  半波長よりも小さな小型RFIDを物品に貼り付けた場合、これを読み取るためのリーダとしては、従来の円偏波パッチアンテナなどではタグ側アンテナの利得が悪いために読み取り出来ないという問題があった。【解決手段】  小型RFIDタグと同程度の大きさとなる“C”字型または“コ”字型アンテナをリーダアンテナとすることで、タグと磁気結合させ、電力伝送、通信を可能にする。【選択図】  図１
2010056703.tif 000002
【特許請求の範囲】
【請求項１】
無線ICタグと無線通信を行うための無線ICタグ用リーダアンテナにおいて、
当該リーダアンテナの径が前記無線通信において使用する搬送波周波数の波長の１０分の１以下となる「Ｃ」字型または「コ」の字型の形状であることを特徴とする無線ICタグ用リーダアンテナ。
【発明の詳細な説明】
【技術分野】
【０００１】
本発明は、いわゆるRFIDを含む無線ICタグを読み取れるためのリーダアンテナに関する。その中でも特に、微小な無線ＩＣタグとの通信を行うものに関する。
【背景技術】
【０００２】
従来のRFIDタグ(無線ICタグ)は、アンテナの長さを半波長程度とし、リーダアンテナも波長に対してそれなりの大きさがあった。これはアンテナの利得を得るためであり、それにより通信距離を延伸化する目的に合致していた。
【０００３】
現在、無線ＩＣタグは、箱状６面体またはシート状平面に貼り付けて、それらを含有する物品の管理などに用いている。
【０００４】
しかし、ケーブル等の円筒状のものを使用対象としたとき、従来の無線ＩＣタグでは実装面積が大きく、その円筒状の物品に貼り付けることは困難である。
【０００５】
そこでこれに貼り付けることを前提とし、非常に小型な無線ＩＣタグが開発されているが、それは磁気結合を主体としたループ状アンテナを装したタグとなる。その1つの例として、特許文献１に記載されたものがある。特許文献１では、無線ＩＣタグを小型化してもリーダアンテナ上で広い読み取り範囲を確保でき、かつ無線ＩＣタグの読取り作業性を低下させないアンテナ装置を提供するものである。これにより、小瓶などに無線ＩＣタグを貼り付けた場合でも、広範囲での読取りが可能になる。
【０００６】
【特許文献１】特開2007-60386号公報
【発明の開示】
【発明が解決しようとする課題】
【０００７】
上記の問題に対して、従来のリーダアンテナは電界結合型である故に、このタグとの伝送効率が比較的悪いとの課題があった。
【課題を解決するための手段】
【０００８】
そこで、本発明では、この（微小）無線ＩＣタグと通信するために、磁気結合を考慮した磁界型アンテナをリーダアンテナに設けることとした。その１つの態様として、使用する搬送波周波数の波長の１０分の１以下となる「Ｃ」字型または「コ」の字型の形状のアンテナを用いる。なお、本願明細書での「Ｃ」字型または「コ」の字型の形状とは、ループ（含む角を有するもの）形状のアンテナで、一部が開放されているものである。
【発明の効果】
【０００９】
本発明により、非常に微小な無線ＩＣタグであってもその使用を可能にする。
【発明を実施するための最良の形態】
【００１０】
本発明の実施の形態を、図を用いて説明する。
図１に本発明の小型“コ”字型アンテナを示す。このアンテナは、１辺が約5mm程度の方形で、給電点（箇所）１０４を誘電体基板１０２表面の“コ”字型配線１０１の一端に、グランド１０３を誘電体基板１０２裏面のベタ層に設けている。このアンテナは、“コ”字型配線１０１のもう一端は開放端になっていることから、その点で最大電圧が印加されており電流が０に思われるが、給電点１０４と（所定範囲内で）近接しており、またグランド１０３との距離も近く（電流が発生する程度に）、それらとの浮遊容量によってリーク電流が発生し、“コ”字型配線１０１に電流が流れることにより、“コ”字型配線１０１を略中心にz方向の磁界が発生する。これにより、対象となる無線ICタグ（RFIDタグ）のアンテナと磁気結合し、通信を可能にする。
【００１１】
次に、図１に示すアンテナが使われる態様、すなわち、無線通信の内容を、図２を用いて説明する。
【００１２】
まず、図示しないリーダ装置本体が、“コ”字型アンテナ２０１に対して同軸線路２００２を介して給電する。この際、人手などにより、“コ”字型アンテナの上方（近傍；読取り（書き込み）位置）に小型RFIDタグ２０３が位置するようにする（相対的に読取り位置になればよく、いずれを移動させてもよい）。例えば、“コ”字型アンテナを小型RFIDタグ203に利用者が人手でかざす。
【００１３】
小型RFIDタグ２０３はRFID用アンテナ２０４にRF-IC２０５を搭載したものである。このため、上記のように読取り位置に移動された場合、“コ”字型アンテナ２０１の作る垂直方向磁界をアンテナに設けられたスリット部２０５を鎖交させることで磁気結合させ、小型RFIDタグ２０３のRF-IC２０５両端に電圧を誘起させ、電力伝送および通信を行うものである。
【産業上の利用可能性】
【００１４】
本発明は、一般的な半波長程度の大きさを持つRFIDタグが貼り付けられる面積を持たない小型物品やケーブルなどの管理に小型RFIDを用いる際の、この小型RFIDを読み取るリーダ用アンテナとして利用できる。
【図面の簡単な説明】
【００１５】
【図１】“コ”字型アンテナ
【図２】小型RFIDタグと“コ”字型アンテナの利用形態
【符号の説明】
【００１６】
１０１：“コ“字型アンテナ配線
１０２：誘電体基板
１０３：グランド（ベタ層）
１０４：給電点
２０１：“コ”字型アンテナ
２０２：同軸線路
２０３：小型RFIDタグ
２０４：RFID用アンテナ
２０５：RF-IC
２０６：スリット
【図１】
2010056703.tif 000003
【図２】
2010056703.tif 000004
(57)【要約】【課題】蛍光灯のスイッチのヒモの長さを自由に変えられ、変えた位置から蛍光灯のスイッチのヒモとして機能し、またヒモを強く引っ張ることでヒモが短い場合ヒモの長さを任意の長さにでき、弱く引っ張るとスイッチが点くヒモを提供する【解決手段】弾力性のある曲がったチューブ（３）を用いることで力加減により２種類の効果をもたせる。弱く引っ張ればチューブ（３）があまり曲がらないのでヒモ（１）とチューブ（３）の摩擦力によって引っ張った力が蛍光灯のスイッチに通じてスイッチが入る。強く引っ張ればヒモ（１）とチューブ（３）の摩擦力によって引っ張った力が蛍光灯のスイッチに通じてスイッチが入り、そのあとチューブ（３）が曲がって摩擦力が落ちるのでヒモ（１）が短い場合はヒモ（１）が動きヒモ（１）の長さが長くなる。【選択図】図１
2010056054.tif 000002
【特許請求の範囲】
【請求項１】
蛍光灯のスイッチのヒモを任意の長さに調整することが可能であり調整した位置から蛍光灯のスイッチのヒモとして使える発明である
【発明の詳細な説明】
【技術分野】
【０００１】手元で長さを変えられる蛍光灯のスイッチのヒモ
【背景技術】
【０００２】従来の物は自由にヒモの長さが調整可能であるが一番短いか一番長い時、もしくはヒモを途中で結ぶなどして長さを固定した時にスイッチを点けられるヒモとして作用するものが一般的であった。【０００３】
【特許文献１】実開昭４９−３０８７４
【発明が解決しようとする課題】
【０００４】蛍光灯のスイッチのヒモの長さを自由に変えられその変えた位置からスイッチとしての機能があるものでヒモが短い時はヒモの先端を引っ張るときに力加減でヒモの長さを任意に変えられるものを提供する。
【課題を解決するための手段】
【０００５】弾力性のある曲がったチューブ（３）にヒモ（１）の先を固定、ヒモ（１）は蛍光灯に取り付ける金具（２）を通ったのち弾力性のある曲がったチューブ（３）の中を通りヒモの先端につける小片（４）に固定する。
蛍光灯とヒモ（１）の端の中間点に位置する弾力性のある曲がったチューブ（３）を用いることで力加減により以下の２種類の効果をもたせる。
弱く引っ張ればチューブ（３）があまり曲がらないのでヒモ（１）とチューブ（３）の摩擦力によって引っ張った力が蛍光灯のスイッチに通じてスイッチが入る。
強く引っ張ればチューブ（３）が曲がる前にチューブ（３）とヒモ（１）との摩擦力によって引っ張った力が蛍光灯のスイッチに通じて蛍光灯のスイッチが入ったあとチューブ（３）が曲がって摩擦力が落ちるのでヒモ（１）が動きヒモ（１）の長さが変わる。
【発明の効果】
【０００６】和室で座ったままだと蛍光灯のヒモが短くを引っ張りにくい時もあるがヒモの端をつまんで強く引っ張ればそのままヒモが任意の長さまで伸び弱く引っ張るとそのままスイッチを点けられるので楽である
和室での就寝時にもヒモが短い場合は引っ張れば任意の長さまで長くなりそのままスイッチを点けられるので便利である
【符号の説明】
【０００７】１  ヒモ
２  蛍光灯とヒモをつなげる金具
３  弾力のある曲がったチューブ
４  ヒモの先端につける小片
【図１】
2010056054.tif 000003
【図２】
2010056054.tif 000004
【手続補正書】
【提出日】平成20年11月7日(2008.11.7)
【手続補正２】
【補正対象書類名】明細書
【補正対象項目名】全文
【補正方法】変更
【補正の内容】
【発明の詳細な説明】
【技術分野】
【０００１】手元で長さを変えられる蛍光灯のスイッチのヒモ
【背景技術】
【０００２】従来の物は自由にヒモの長さが調整可能であるが一番短いか一番長い時、もしくはヒモを途中で結ぶなどして長さを固定した時にスイッチを点けられるヒモとして作用するものが一般的であった。【０００３】
【特許文献１】実開昭４９−３０８７４
【発明が解決しようとする課題】
【０００４】蛍光灯のスイッチのヒモの長さを自由に変えられその変えた位置からスイッチとしての機能があるものでヒモが短い時はヒモの先端を引っ張るときに力加減でヒモの長さを任意に変えられるものを提供する。
【課題を解決するための手段】
【０００５】弾力性のある曲がったチューブ（３）にヒモ（１）の先を固定、ヒモ（１）は蛍光灯に取り付ける金具（２）を通ったのち弾力性のある曲がったチューブ（３）の中を通りヒモの先端につける小片（４）に固定する。蛍光灯とヒモ（１）の端の中間点に位置する弾力性のある曲がったチューブ（３）を用いることで力加減により以下の２種類の効果をもたせる。弱く引っ張ればチューブ（３）があまり曲がらないのでヒモ（１）とチューブ（３）の摩擦力によって引っ張った力が蛍光灯のスイッチに通じてスイッチが入る。強く引っ張ればチューブ（３）が曲がる前にチューブ（３）とヒモ（１）との摩擦力によって引っ張った力が蛍光灯のスイッチに通じて蛍光灯のスイッチが入ったあとチューブ（３）が曲がって摩擦力が落ちるのでヒモ（１）が動きヒモ（１）の長さが変わる。
【発明の効果】
【０００６】和室で座ったままだと蛍光灯のヒモが短くを引っ張りにくい時もあるがヒモの端をつまんで強く引っ張ればそのままヒモが任意の長さまで伸び弱く引っ張るとそのままスイッチを点けられるので楽である
和室での就寝時にもヒモが短い場合は引っ張れば任意の長さまで長くなりそのままスイッチを点けられるので便利である
【図面の簡単な説明】
【０００７】
【図１】全体図
【図２】発明工夫部分の拡大図
【符号の説明】
【０００８】１  ヒモ
２  蛍光灯とヒモをつなげる金具
３  弾力のある曲がったチューブ
４  ヒモの先端につける小片
(57)【要約】【課題】大気中の二酸化炭素を捕集して反応させ、生じた水を太陽光で光分解して発電し、酸素を大気中に放出させる太陽光発電装置を提供する。【解決手段】大気中の二酸化炭素を捕集して化学的に反応させて、生じた水を選択的透過膜に透過させて、太陽光と光分解色素によって水を光分解し、生じた電荷によって発電し、酸素を大気中に放出させる太陽光発電装置。【選択図】図１
2010056053.tif 000002
【特許請求の範囲】
【請求項１】
大気中の二酸化炭素を捕集して化学的に反応させて、生じた水を選択的透過膜に透過させ、太陽光と光分解色素によって水を光分解し、生じた電荷によって発電し、酸素を大気中に放出させる太陽光発電装置。
【発明の詳細な説明】
【技術分野】
【０００１】本発明は、大気中の二酸化炭素を捕集してアルカリ溶液と反応させて水を生成し、太陽光によって水を分解し酸素を大気に放出し、得られた電荷によって太陽光発電する装置に関する。
【背景技術】
【０００２】従来の太陽光発電は、太陽電池を利用して、太陽光のエネルギを直接的に電力に変化するソーラ発電である。太陽電池は、太陽電池素子中の電子に光りエネルギを吸収させ、光起電力効果によって直接的に電気エネルギに変換していた。太陽光を利用する再生可能エネルギであり、化石燃料と関係なく、温室効果ガスを排出しないが直接的削減には関与していない。本発明では、水の太陽光分解による発電システムが、大気中の二酸化炭素を吸収し、酸素を大気中に放出する発電装置を発明した。
【発明の開示】
【発明が解決しようとする課題】
【０００３】従来の太陽光発電では、電気的発電素子を使い発電するため、再生可能エネルギであるものの、温室効果ガスを排出しないだけで、直接的な削減効果は乏しい。本発明では植物の光合成に着目し、二酸化炭素を補集しつつ、明反応を利用して水から酸素と水素を生成し、水の分解によって放出された電荷を利用して発電する。
【課題を解決するための手段】
【０００４】本発明は、大気中の二酸化炭素を選択的透過膜（二酸化炭素透過膜）によって透過吸収して、二酸化炭素吸収槽の水酸化ナトリウム水溶液と反応させて炭酸ナトリウムと水を生成し、生成して出来た水を、別槽の水光分解反応水槽側端部の選択的透過膜（水素イオン透過膜）を挟んだ電極を通して、負極で吸収した電子を、正極でイオン透過膜を透過した水素イオンに与えて水素を生成して、電極間に電子を移動させて電流を流す。発生した酸素は、水光分解反応水槽壁上端部の酸素放出口より放出する。
【発明の効果】
【０００５】現在の太陽光発電は、化石燃料に頼らない再生可能エネルギではあるものの、温室効果ガスを排出しないだけで直接的な削減には関与していない。本発明では、植物の光合成に着目し、温室効果ガスを削減し、酸素を放出することで大気の浄化も促し、再生可能エネルギである太陽光により発電を行え、地球温暖化防止と、エネルギ問題の両方の解決に貢献する。
【発明を実施するための最良の形態】
【０００６】〔図１〕は、本発明の太陽光発電装置の概略断面図である。以下本発明のプロセスフローを図に従って詳細に説明する。初めに２ａ二酸化炭素吸収槽に２ｂの水酸化ナトリウム注入口から水酸化ナトリウムを液面が２ｃ選択的透過膜（二酸化炭素透過膜）に接触するまで注入する。続いて４ａ水光分解反応水槽に、４ｃ酸素放出口からクロロフィル水溶液を液面が放出口を超えない程度まで注入する。【０００７】２ａ二酸化炭素吸収槽では、空気の平均重量より重い二酸化炭素が、槽上面に取り付けてある２ｃ選択的透過膜（二酸化炭素透過膜）に大気に押されることにより透過し、２ａ二酸化炭素吸収槽内の水酸化ナトリウムと反応して水溶液に吸収される。
２ＮａＯＨ＋ＣＯ２→Ｎａ２ＣＯ３＋Ｈ２Ｏ
この時、上式の様に水が生成され、水酸化ナトリウム水溶液中の水と混和して、３選択的透過膜（水分子透過膜）を透過して、４ａ水光分解反応水槽に補給される。【０００８】４ａ水光分解反応水槽の上部には４ｂ集光板が置いてあり、太陽光を集光し、水溶液中のクロロフィルと光反応して、水を酸素と水素イオンに分解し、４ａ水光分解反応水槽側端部の５ａ選択的透過膜（水素イオン透過膜）を透過した水素イオンに与えて水素生成して、５ｂ、５ｃの電極間に電子を移動させて電流を流す。発生した酸素は、４ａ水光分解反応水槽壁上端部の４ｃ酸素放出口より放出される。【０００９】４ａ水光分解反応水槽内の水光分解反応と、５ａ選択的透過膜（水素イオン透過膜）、５ｂ（負極）、５ｃ（正極）電極間の電子のやり取りの収支は以下の反応式による。
水の光分解反応と５ｂ電極（負極）での反応        ２Ｈ２Ｏ→Ｏ２＋４Ｈ＋＋４ｅ−
５ａ水素イオン透過膜と５ｃ電極（正極）での反応  ２Ｈ＋＋２ｅ−→２Ｈ２【００１０】２ａ二酸化炭素吸収槽の上部に２ｃ選択的透過膜（二酸化炭素透過膜）が取り付けてあり、その中心部に２ｄ集光板付き２ｅ水溶液対流発生用レンズが取り付けてある。２ｄ集光板が、太陽光を集光して２ｅ水溶液対流発生用レンズによって集光照射された太陽光は、焦点が２ａ二酸化炭素吸収槽の水溶液下部を温めるように調整されていて、この光エネルギで温まった水溶液は、２ａ二酸化炭素吸収槽の槽内の上部と下部で温度勾配ができ対流が起きる。【００１１】２ｃ選択的透過膜（二酸化炭素透過膜）には大気で押された二酸化炭素が、温度上昇した２ａ二酸化炭素吸収槽内の反応で起きた炭酸ナトリウムと反応して、炭酸水素ナトリウムを生成する。対流により、２ａ二酸化炭素吸収槽内を循環する炭酸水素ナトリウムの結晶は、２ｅ水溶液対流発生用レンズ照射用と対流循環用に真中に穴を設けた、２ｆ炭酸副生成物回収膜に堆積する。この装置は脱着可能なので、２ａ二酸化炭素吸収槽の水溶液中の水が消費されて水位が２ｆ炭酸副生成物回収膜より下がったら、膜を取り外し、炭酸水素ナトリウムを回収する。このことにより大気中の二酸化炭素は、炭酸水素ナトリウムに固定されて回収され、温室効果ガスを削減できる。
【実施例】
【００１２】クロロフィル色素を卓上リバーシブル燃料電池セットに注入し、６８０ｎｍ付近の波長の光を吸光させて、水を酸素と水素に光分解する。この卓上燃料電池は発生した酸素と水素を貯留タンクに蓄えられ、これらの燃料を使って負荷のつないだ燃料電池を発電させる。これによりクロロフィル色素による水の光分解の基礎実験ができる。【００１３】実際に〔図１〕太陽光発電装置で、発電を行い起電力を測定して水の消費量を求める。【００１４】二酸化炭素吸収槽の対流により回収膜に採取された炭酸水素ナトリウム量から、二酸化炭素の捕集量を求める。
【図面の簡単な説明】
【００１５】
【図１】は、本発明の主要部である太陽光発電装置の概略断面図を示す。
【符号の説明】
【００１６】１    太陽光発電装置本体
２ａ  二酸化炭素吸収槽
２ｂ  水酸化ナトリウム注入口
２ｃ  選択的透過膜
２ｄ  集光板
２ｅ  水溶液対流発生用レンズ
２ｆ  炭酸副生成物回収膜
３    選択的透過膜
４ａ  水光分解反応水槽
４ｂ  集光板
４ｃ  酸素放出口
５ａ  選択的透過膜
５ｂ  電極（負極）
５ｃ  電極（正極）
【図１】
2010056053.tif 000003